【事件の表示】
　平成１１年特許願第２９６９５２号「インクジェットプリンタ用インク」拒絶査定不服審判事件〔平成１２年　５月　９日出願公開、特開２０００−１２９１８３〕について、次のとおり審決する。
【結　論】
　本件審判の請求は、成り立たない。
【理　由】
第１　手続の経緯
  本件出願は、平成１１年１０月１９日（優先権主張：平成１０年１０月２９日、平成１１年４月３０日、米国）の出願であって、以降の手続の経緯は以下のとおりである。
平成１６年１０月１２日　　出願審査請求　　
平成１９年　４月２３日　　拒絶理由通知　　　
平成１９年１１月　８日　　意見書・手続補正書　　　
平成１９年１１月２８日　　拒絶査定　　　　　　　　
平成２０年　３月　３日　　審判請求　　　　　
平成２０年　４月　２日　　手続補正書（審判請求理由補充書）　　
平成２０年　５月　９日　　前置報告　　　　　
平成２２年　８月　４日　　審尋　　　　　　　　　
平成２３年　２月１０日　　回答書　　　　　　　　
　　　
第２　本件出願に係る発明について
　本件出願に係る発明は、平成２０年４月２日付けの手続補正により補正された明細書の特許請求の範囲の記載からみて、次のとおりの、
「【請求項１】少なくとも１つのプロトン化部位を有する少なくとも１つのアニオン染料と、インクのpHを5.5〜9.5の範囲で維持するのに十分な量の少なくとも１つの緩衝剤と、金属塩又は金属配位化合物から成る少なくとも１つの沈殿剤と、を含んで成り、前記少なくとも１つのアニオン染料が、下記式(I)
【化１】
　〔式中、
R１は、水素又は炭素数１〜６の脂肪族基から選択され、nは、２、３、又は４であり、Xは、NR３R４であり、R３とR４はそれぞれ、水素；炭素数１〜６のアルキル；O、OCH３、COOM、SO３Mから選択される置換基によって置換された炭素数２〜６の置換アルキル；アラルキル；非置換アリール又はCOOMもしくはSO３Mで置換されたアリールから選択され、R３とR４は、ヘテロ原子含有又は非含有の環を形成することができ、又は、Xは、SR５であり、R５は炭素数１〜６のアルキル；OH、OCH３、COOM、SO３Mから選択される置換基によって置換された炭素数２〜６の置換アルキルであり、又は、Xは、OR６であり、R６は水素又は炭素数１〜６の脂肪族基であり、R７は、水素、炭素数１〜６のアルキル；CN、COOM、OH、COOCH３、COOCH２CH３、COCH３から選択される置換基によって置換された炭素数２〜６の置換アルキル；非置換アリール又はCH３もしくはハロゲンで置換されたアリールであり、Ｍは、金属原子；アンモニウム又は炭素数１〜１２のアルキル、アルコキシアルキル又はヒドロキシルアルキルで置換されたアンモニウムである〕を有する、水性インクジェットインク。
【請求項２】前記少なくとも１つのアニオン染料が、下記式(II)
【化２】
を有する、請求項１に記載の水性インクジェットインク。
【請求項３】前記少なくとも１つの緩衝剤が、インクのpHを６〜９の範囲で維持するのに十分な量で存在する、請求項１又は２に記載の水性インクジェットインク。
【請求項４】前記少なくとも１つの緩衝剤が、インクのpHを6.5〜8.5の範囲で維持するのに十分な量で存在する、請求項３に記載の水性インクジェットインク。
【請求項５】前記少なくとも１つの緩衝剤が、（トリス[ヒドロキシメチル]アミノメタン）、（３-[Ｎ-モルホリノ]プロパンスルホン酸）、（Ｎ-トリス[ヒドロキシメチル]メチル-２-アミノエタンスルホン酸）、（３-[Ｎ,ｎ-ビス２-ヒドロキシエチルアミノ]-２-ヒドロキシプロパンスルホン酸、（３-[Ｎ-トリスヒドロキシメチルメチルアミノ]-２-ヒドロキシプロパンスルホン酸）、（Ｎ-[２-ヒドロキシエチル]ピペラジン-Ｎ'-[２-ヒドロキシプロパンスルホン酸）、（Ｎ-トリス[ヒドロキシメチル]メチルグリシン）、（Ｎ,Ｎ-ビス[２-ヒドロキシエチル]グリシン）、（Ｎ-トリス[ヒドロキシメチル]メチル-３-アミノプロパンスルホン酸）、（ピペラジン-ｎ,ｎ'-ビス[２-ヒドロキシプロパンスルホン酸）、及び（３-[１,１-ジメチル-２-ヒドロキシエチルアミノ]-２-ヒドロキシプロパンスルホン酸）から成る群から選択される、請求項１又は２に記載の水性インクジェットインク。
【請求項６】前記少なくとも１つの緩衝剤が、（トリス[ヒドロキシメチル]アミノメタン）である、請求項５に記載の水性インクジェットインク。
【請求項７】前記沈殿剤が、金属塩である、請求項１又は２に記載の水性インクジェットインク。」であるところ、
　その請求項２に記載された発明（以下、「本願発明２」という。）は、独立形式で記載すると以下のとおりである。
「少なくとも１つのプロトン化部位を有する少なくとも１つのアニオン染料と、インクのｐＨを５．５〜９．５の範囲で維持するのに十分な量の少なくとも１つの緩衝剤と、金属塩又は金属配位化合物から成る少なくとも１つの沈殿剤と、を含んで成り、前記少なくとも１つのアニオン染料が、下記式（II)
【化２】
を有する水性インクジェットインク。」
　
第３　原査定の理由
　原審において、平成１９年４月２３日付け拒絶理由通知書で、以下の内容を含む拒絶理由が通知され、当該理由が解消されていない点をもって以下の拒絶査定がなされた。
　　
１．拒絶理由　　
　この出願の下記の請求項に係る発明は、その出願前に日本国内又は外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。
　　　　　　　記（引用文献等については引用文献等一覧参照）
・請求項　１−１０
・引用文献等　１−４
・備考
　文献２、４には、本願発明の一般式（ＩＩ）で表される染料を含有する水性インクジェットインクが記載されている（文献４：請求項）。
　ここで文献１、２には、水性インクジェットインクにおいて、インクのｐＨはトリス［ヒドロキシメチル］アミノメタン等の緩衝剤を用いて６．５〜８程度にすることが好ましい旨（文献２：【００３６】、【００３７】）、また文献１にはインクのブリードを抑えるために多価金属塩を添加することが好ましい旨が記載されている。
　したがって、文献２、４に記載の発明において、トリス［ヒドロキシメチル］アミノメタン等の緩衝剤及び多価金属塩を添加することは、当業者が容易に想到し得る事項に過ぎない。
　また、そのことによる効果も予測し得る範囲内のものである。
　　
　　　　　　引用文献等一覧
１．米国特許第５５３６３０６号明細書
２．特開平１０−２４５５１５号公報
３．特開昭６３−１７９９６９号公報
４．特表平１０−５０４８５６号公報
　　　　　　　　　
２．拒絶査定
　この出願については、平成１９年　４月２３日付け拒絶理由通知書に記載した理由２によって、拒絶をすべきものです。
　なお、意見書及び手続補正書の内容を検討しましたが、拒絶理由を覆すに足りる根拠が見いだせません。
　　　
備考
　先の拒絶理由で引用した文献１には、少なくとも一つのプロトン化部位を有するアニオン染料と、ブリードを防止するための金属塩化合物を含有する水性インクジェットインクが記載されており、更に染料の沈殿を防止するために、トリス[ヒドロキシメチル]アミノメタン等の緩衝剤を用いてインクのｐＨを６〜９程度に維持することが好ましい旨が開示されている（ABSTRACT、第３欄第５６行−第４欄第１１行、第５１−６３行）。
　ここで文献１に記載の発明において、染料として文献３、４に記載の少なくとも一つのプロトン化部位を有するアニオン染料（平成１９年１１月８日付け手続補正後の本願発明の一般式（Ｉ）、（ＩＩ）の染料に相当）を使用してみることは、当業者が適宜なし得る事項に過ぎない。
　出願人は、平成１９年１１月８日付け提出の意見書において、文献３には該染料をインクジェットインクに使用することについて記載も示唆もない点を挙げて、該染料を文献１に記載の発明において使用する動機がない旨主張するが、インクジェットインクの染料として公知のものを使用してみることは、当業者が通常行う事項であり、そのことに格別の困難性は見出せない。
　また該染料を用いたことによって格別顕著な効果を奏するものでもない。
　　　
　以上のとおりであるから、補正後の本願請求項１−７に係る発明は、依然として文献１、３、４に記載された発明に基づいて当業者が容易に発明することができたものである。
　なお、補正後の本願請求項７に係る発明の「前記多価金属化合物」が何を指すのかが不明であり、本願請求項７に係る発明が明確でない点においても、本願発明は拒絶されるべきものであることに留意されたい。
　　　　　　
第４　拒絶査定における引用例に記載された事項
　本件拒絶査定の拒絶理由のうち、本願発明２についての拒絶理由の概要は、本願発明２は、その優先日前に頒布された下記刊行物１及び２に記載された発明に基づいて当業者が容易に発明をすることができたものであるから、特許法第２９条第２項の規定により特許を受けることができないというものである。
　　　　　　　　　　　　　　　　　記
刊行物１：米国特許第５５３６３０６号明細書
（以下、「刊行物１」という。拒絶査定で引用された「文献１」と同じ。）
刊行物２：特表平１０−５０４８５６号公報
（以下、「刊行物２」という。拒絶査定で引用された「文献４」と同じ。）
　
１．刊行物１の記載事項（和文は当審における仮訳であり、該当箇所の記載は刊行物１の原文による。）
（１−１）「技術分野
　本発明はサーマルインクジェット印刷のためのインク組成物、より詳細には、隣り合って印刷されたカラーの間のブリードを低減させるために、界面活性剤と多価イオン、好ましくはカルシウム及びマグネシウム、の組合わせをサーマルインクジェットインク組成物に加えることに関する。」（第１欄第１５〜２０行）
（１−２）「技術の背景　
　ヒューレット・パッカード社製のＤｅｓｋＪｅｔ（登録商標）プリンターのような市販のサーマルインクジェットカラープリンターにおいては、カラー領域はシアンインク、マゼンタインク及びイエローインクを種々の割合で組合わせることにより達成される。シアンインク、マゼンタインク及びイエローインクは、それぞれ、シアン染料、マゼンタ染料及びイエロー染料からそれらの色相を得る。用いられる染料の特定のセットは、いわゆる、「染料セット」を構成する。カラープリンターは典型的には、シアンインク、マゼンタインク及びイエローインク並びにブラックインクを含有する４本ペンセットを用いる。
　サーマルインクジェットインクは、一般に、インクビヒクルに染料を溶解することにより製造される水性インク組成物として得られる。例えば、シアンインクはインクビヒクルに溶解されたシアン染料を含むだろう。インクジェットインク組成物に用いられる染料分子は、染料アニオンとナトリウムのようなカチオンからなる染料塩の形でしばしば用いられる。これらの染料は染料塩の結晶化によりターゲット紙支持体中で固体となるように設計される。
　染料塩の結晶化の前に印刷されたインク組成物の挙動を調節することは良好な印刷品質を達成するために重要である。例えば、多くのサーマルインクジェットインクは、紙支持体上に種々のカラーを印刷するときに、お互いに滲む傾向がある。ブリード（滲み）は紙支持体の表面のみならず、紙支持体自体の内部の両方で、カラーが混ざるときに起こる。完全で、一つのカラーから他のカラーへの侵入がないカラー間の境界を有することが望ましい。カラーからカラーへのブリードの問題に対する一つの解決は、界面活性剤を用いて紙へのインクの浸透速度を増加させることを含む。しかしながら、このような浸透速度の増加はエッジの鋭さも低減し得る。ブラックからイエローカラーへの特定の問題の解決が、１９９３年３月３０日に発行され、本出願と同じ譲渡人に譲渡された米国特許第５,１９８,０２３号に開示され、そこでは、多価カチオン、例えば、塩化カルシウム及び塩化マグネシウムを約１〜１０重量％の範囲の濃度でイエローカチオン性インクに加えて、イエローインクとブラックインクの間のブリードを防止している。
　単一のインクに認められるブリードを低減させることはいくらか断片的なアプローチであって、４本ペンセットについて印刷品質を最適化することはできない。ＤｅｓｋＪｅｔ（登録商標）のようなカラープリンターから良好な総合的印刷品質を達成するためには、全体論的アプローチが必要であり、そこでは、シアンインク、マゼンタインク及びイエローインクは各々カラーからカラー及びブラックからカラーへのブリードの低減を達成するために特別に製造される。」（第１欄２４行〜第２欄第２行）
（１−３）「発明の開示
　本発明によれば、サーマルインクジェットインクのセット及びその製造方法が提供され、そこで、各々のインクは、界面活性剤と無機塩の組み合わせを含有し、ブラックからカラーへのブリードのみならず、カラーからカラーへのブリードの両方を低減させるように設計される。本発明の実施によれば、シアンインク、マゼンタインク及びイエローインクは各々約０．１〜４重量％の少なくとも１種の染料、約３〜２０重量％の少なくとも１種のジオール、０〜約５重量％の少なくとも１種のグリコールエーテル、約３〜９重量％の２−ピロリドン、４重量％までの殺生物剤及び緩衝剤からなる群から選択される少なくとも１種の成分、及び水を含む。カラーからカラー、及びブラックからカラーへのブリードの低減は、シアンインク、マゼンタインク及びイエローインクにさらに次の界面活性剤と無機塩の組合わせを含むように製造することにより達成される。
（ａ）主に４〜８のエトキシル化単位と約１２〜１８の炭素原子を有する脂肪族鎖を有する少なくとも１種の第２級アルコールエトキシレート界面活性剤から本質的になる約１〜４重量％の第一界面活性剤を含む界面活性剤成分、及び
（ｂ）約３〜６重量％の少なくとも１種の無機塩成分。
　本発明にしたがって製造された特定のサーマルインクジェットインクのセットは低減したカラーからカラーへのブリードのみならず、低減したブラックからカラーへのブリードを示す。さらに本発明のインク組成物は良好な色彩度と耐光性を提供する。」（第２欄第３〜３２行）
（１−４）「本発明の実施においては、第２級アルコールエトキシレートは印刷媒体中へのインクの浸透を増加させることによりカラーからカラーへのブリードの防止に役立つ。」（第２欄第６４〜６６行）
（１−５）「本発明のインクビヒクルの無機塩成分はブラックインクとカラーインク間のブリードの防止に役立ち、１以上の無機塩を含む。この塩は、勿論、使用した濃度でインク中に溶解しなければならない。無機塩のために適切に用いられるカチオンは、周期表の２Ａ群のアルカリ土金属（例えば、マグネシウム及びカルシウム）、周期表の３Ｂ群の遷移金属（例えば、ランタン）、周期表３Ａ群のカチオン（例えば、アルミニウム）及びランタニド（例えば、ネオジミウム）を含む。好ましくは、カルシウムとマグネシウムが本発明の実施においてカチオンとして用いられる。カルシウムと結合して適切に用いられるアニオンは、硝酸塩、塩化物、アセテート、ベンゾエート、ホーメート及びチオシアネートであり、マグネシウムと結合して用いられる適切なアニオンは硝酸塩、塩化物、アセテート、ベンゾエート、臭化物、クエン酸塩、ホーメート、ヨウ化物、硫酸塩、フッ化物、酒石酸塩及びチオシアネートである。本発明の実施において好ましく用いられる無機塩は、カルシウム及びマグネシウムの硝酸塩、塩化物及びアセテート塩である。より詳細には、本発明のシアンインクとマゼンタインクは好ましくは硝酸マグネシウムを用い、イエローインクは好ましくは硝酸カルシウムを用いる。」（第３欄第５６行〜第４欄第１１行）
（１−６）「本発明のインクビヒクルの他の成分、すなわち、緩衝剤、殺生物剤等は、各々、サーマルインクジェットインク組成物で、一般的に用いられる添加剤である。無機緩衝剤は、インク組成物中で比較的に大量に存在し、沈殿する可能性があるので、本発明の実施においては、ｐＨを調整するために用いられる緩衝剤は有機ベースの生物学的緩衝剤であるべきである。さらに、用いられる緩衝剤は本発明の実施においては約６〜９の範囲のｐＨをもたらすべきである。好ましく用いられる緩衝剤の例はトリツマ塩基、アルドリッチケミカル（ウィスコンシン州ミルウォーキー）で市販している、及び４−モルホリンエタンスルホン酸（ＭＥＳ）である。」（第４欄第５１〜６３行）
（１−７）「本発明の実施においては、シアンインクは、精製されたアシッドブルー９アニオン性染料及びダイレクトブルー１９９アニオン性染料と上記インクビヒクルとを組合わせることにより製造され、後者の染料は特に高度の耐光性を与えることで知られている。シアンインク中に比較的高濃度の無機塩が存在するなら、ナトリウム又はアンモニウムと結合したダイレクトブルー１９９はビヒクルから沈殿するだろう。したがって、ダイレクトブルー１９９を処理して供給した実質的に全て又はほとんどのナトリウム又はアンモニウムカチオンをＴＭＡカチオンで置換する。本発明の実施においては、ナトリウムと結合したアシッドブルー９アニオン性染料は残存するであろう。ダイレクトブルー１９９のＴＭＡ置換はシアンインクに由来するオリフィス付近での凝固を低減させ、比較的高濃度の有機塩の存在によりシアンインクを溶液のまま存在することを可能にする。本発明の実施においては、アシッドブルー９アニオン性染料はナトリウムカチオンと結合したままで残存するから、アシッドブルー９の量は、その結合したナトリウムカチオンの存在が、ダイレクトブルー１９９のナトリウム又はアンモニウムカチオンをＴＭＡで置換することにより達成された利益をだいなしにしない量に限定しなければならない。好ましくは、ダイレクトブルー１９９及びアシッドブルー９は、それぞれ、約２〜３重量％及び１〜２重量％の範囲の濃度で用いられる。より好ましくは、本発明のシアンインクにおけるダイレクトブルー１９９染料の濃度とアシッドブルー９染料の濃度の比は重量で約２：１である。」（第５欄第２１〜４５行）
（１−８）「本発明の実施において用いられるマゼンタインクは精製された加水分解された形のリアクティブレッド１８０及び精製されたアシッドレッド５２アニオン性染料を上記成分及び上記濃度範囲からなるインクベヒクルと組合わせることにより製造される。アシッドレッド５２アニオン性染料を好ましくは処理して供給されたナトリウムカチオンをリチウムイオンと置換する。好ましくは、本発明のマゼンタインクにおけるリアクティブレッド１８０の濃度対アシッドレッド５２の濃度の比は、重量で約１：１である。」（第６欄第２２〜３０行）
（１−９）「本発明の実施において用いられるイエローインクは精製されたアシッドイエロー２３アニオン性染料と、上記成分を上記濃度範囲で含むインクビヒクルとを組合わせることにより製造される。アシッドイエロー２３アニオン性染料を、好ましくは処理して供給されたナトリウムカチオンをテトラメチルアンモニウムと置換し、それはイオン交換のような方法により達成されるであろう。」（第７欄第２〜８行）
（１−１０）「色域体積（ｃｏｌｏｒ　ｇａｍｕｔ　ｖｏｌｕｍｅ）測定は各シリーズのインクに対してなされ、表ＩＩに示す。色域体積は当業界で周知であり、式Ｌ×ａ×ｂ（色空間座標）を用いて測定される。公知のように、色域体積はインク組成物においては最大化されることが望ましい。４つのインクのセットについて測定した色域体積の比較から、本発明にしたがって作成したインク（第１シリーズのインク）の色域体積は他のシリーズのインクに認められた範囲内の色域体積を示すことが分かる。したがって、本発明にしたがって製造したインクは色域体積を犠牲にすることなく耐ブリード性を達成する。」（第８欄第５１〜６２行）
（１−１１）「したがって、本発明により製造した前記の界面活性剤と無機塩を含有するシアンインク、マゼンタインク及びイエローインクを含む４本ペンセットは、色域体積を犠牲にすることなく、増加した耐光性及び低減されたブリードを示すことが立証された。」（第９欄第５１〜５６行）
（１−１２）「（請求項１）サーマルインクジェット印刷のためのシアンインク、マゼンタインク、イエローインク及びブラックインクを含むサーマルインクジェットインクのセットであって、前記シアンインク、マゼンタインク及びイエローインクは、約０．１〜４重量％の少なくとも１種の染料、約３〜２０重量％の少なくとも１種のジオール、０〜約５重量％の少なくとも１種のグリコールエーテル、約３〜９重量％の２−ピロリドン、約４重量％までの殺生物剤及び緩衝剤からなる群から選択される少なくとも１種の成分、及び水を含み、前記シアンインク、マゼンタインク及びイエローインクは、さらに、
（ａ）主に４〜８のエトキシル化単位と約１２〜１８の炭素原子を有する脂肪族鎖を有する少なくとも１種の第２級アルコールエトキシレート界面活性剤から本質的になる約１〜４重量％の第１の界面活性剤を含む界面活性剤成分、及び
（ｂ）約３〜６重量％の少なくとも１種の無機塩成分
を含むことにより、一旦印刷されると、前記シアンインク、マゼンタインク、イエローインク及びブラックインク間のカラーからカラー及びブラックからカラーへのブリードを低減させる、前記サーマルインクジェットインクのセット。」（第１０欄第４〜２１行、特許請求の範囲の請求項１）
　　　
２．刊行物２の記載事項
（２−１）「〔発明の属する技術分野〕
  本発明は染料及び該染料を含有するインクジェット印刷法用の水性インク組成物に関する。」（第４頁第３〜５行）
（２−２）「本発明は式（４）のアゾ染料に関する。
但し、
Ｒ１は水素又は炭素数１〜６の脂肪族基であり、ｎは２，３又は４であり、ＸはＮＲ３Ｒ４（ここでＲ３とＲ４は独立に水素、炭素数１〜６のアルキル、置換基がＯＨ，ＯＣＨ３Ｏ，ＣＯＯＭ又はＳＯ３Ｍである炭素数２〜６の置換アルキル、アラルキル、非置換アリール又はＣＯＯＭ又はＳＯ３Ｍで置換したアリールであり、Ｒ３とＲ４はヘテロ原子を含むか又は含まない環を形成していてもよい）であるか、又は  ＸはＳＲ５（ここでＲ５は炭素数１〜６のアルキル又は置換基がＯＨ，ＯＣＨ３，ＣＯＯＭ又はＳＯ３Ｍである炭素数２〜６の置換アルキルである）であるか、又は  ＸはＯＲ６（ここでＲ６は水素又は炭素数１〜６の脂肪族基である）であり、Ｒ７は水素、炭素数１〜６のアルキル、置換基がＣＮ，ＣＯＯＭ，ＯＨ，ＣＯＯＣＨ３，ＣＯＯＣＨ２，ＣＨ３又はＣＯＣＨ３である炭素数２〜６の置換アルキル、非置換アリール、又はＣＨ３又はハロゲンで置換したアリールであり、  Ｍは水素、金属原子、アンモニウム又はそれぞれが炭素数１〜１２をもつアルキル、アルコキシアルキル又はヒドロキシアルキルで置換されたアンモニウムである。
本発明のアゾ染料は反応性基をもっていない。これらはその高い水溶性からインクジェット印刷に用いるインクに使用するのに特に適している。」（第６頁第９行〜第７頁第８行）
（２−３）「
表１
次の一般式の染料をつくった。
置換基は次のとおりである。」（第９頁第１〜末行）
（当審注：表１には化合物Ｎｏ．１００〜１０７について、置換基Ｘ、Ｍ、λｍａｘ（ｎｍ）Ｈ２Ｏ中の欄があり、化合物Ｎｏ．１０１についてのＸの欄にはＮ（ＣＨ２ＣＨ２ＯＨ）２、Ｍの欄にはＮａが記載されている。）
（２−４）「例  ２
本発明の染料はインクの製造に特に適している。インクジェット印刷用インクは周知である。これらのインクは本質的に液体ビヒクルとそこに溶解させた染料からなっている。この印刷に用いるインクの液体ビヒクルは一般に水又は水と相溶性有機溶媒の混合物からなっている。有機溶媒の例としてはＣ１−Ｃ４アルカノール、ジ（プロピレングリコール）、ジ（エチレングリコール）等のアルキレングリコール、１，５−ペンタンジオール、グリセロール、１，２，６−トリヒドロキシヘキサン、２−ピロリジノン、Ｎ−メチル−２−ピロリジノン、１−（２−ヒドロキシエチル）−２−ピロリジノン、１，３−ジメチル−２−イミダゾリジノン、１，１，３，３−テトラメチル尿素等の窒素含有溶媒、有機スルホキシド、スルホラン等の硫黄含有溶媒等がある。
印刷インクの非水部分は一般に調湿剤（ヒュームファクタント）、共溶媒、粘度調節剤、インク浸透添加剤、均染剤又は染着剤として作用する。また水性インクは、セルロース誘導体や他の水溶性樹脂等の粘度変性剤、種々のタイプの界面活性剤、表面張力変性剤、光沢剤、ＵＶ吸収剤、光安定剤、殺生物剤、バッファー等のｐＨ調節剤等の種々の公知の添加剤を含有しうる。」（第１０頁下から１２行〜第１１頁第４行）
（２−５）「本発明をインクに関しさらに実施例で説明する。ここで全ての部及び％は重量によるものである。
上記したようにしてつくった染料１００〜１０２を用いて次の処方に従ってインクを製造した。
      染料            ６部
      グリセロール  ２０部
      水            ７４部
これらの成分を溶解させ、溶液を加圧下にミリポアフィルター（０．５ミクロン）を通して濾過してインクを製造した。　　　　　
インクを試験したところすべてのインク要求特性を満足することがわかった。特に次の項目を満足することが示された。
(1) 粘度、伝導度及び表面張力等の物理的性質がそれぞれ合格範囲内にある。
(2) すべての染料がインク媒体にすぐれた溶解性をもち微細な放出口金を詰まらせない十分な安定性をもつ溶液をもたらす。
(3) 記録剤が十分な光学密度の画像をもたらす。
(4) インクが物理的性質をかえずまた保存中固体分を析出しない。
(5) 印刷が基材の性質にかかわらず行なわれうる。
(6) インクが高い固定化速度をもつ。
(7) インクが水、光及び摩耗に対しすぐれた抵抗性をもつ画像を与える。」（第１１頁第１０行〜末行）
　　　　
第５　当審における判断
１．刊行物１に記載された発明
　刊行物１の「本発明によれば、サーマルインクジェットインクのセット及びその製造方法が提供され、そこで、各々のインクは、界面活性剤と無機塩の組み合わせを含有し、ブラックからカラーへのブリードのみならず、カラーからカラーへのブリードの両方を低減させるように設計される。本発明の実施によれば、シアンインク、マゼンタインク及びイエローインクは各々約０．１〜４重量％の少なくとも１種の染料、約３〜２０重量％の少なくとも１種のジオール、０〜約５重量％の少なくとも１種のグリコールエーテル、約３〜９重量％の２−ピロリドン、４重量％までの殺生物剤及び緩衝剤からなる群から選択される少なくとも１種の成分、及び水を含む。カラーからカラー、及びブラックからカラーへのブリードの低減は、シアンインク、マゼンタインク及びイエローインクにさらに次の界面活性剤と無機塩の組合わせを含むように製造することにより達成される。
（ａ）主に４〜８のエトキシル化単位と約１２〜１８の炭素原子を有する脂肪族鎖を有する少なくとも１種の第２級アルコールエトキシレート界面活性剤から本質的になる約１〜４重量％の第一界面活性剤を含む界面活性剤成分、及び
（ｂ）約３〜６重量％の少なくとも１種の無機塩成分。」（摘示（１−３））の記載からすると刊行物１には
「少なくとも１種の染料、少なくとも１種のジオール、少なくとも１種のグリコールエーテル、２−ピロリドン、４重量％までの殺生物剤及び緩衝剤からなる群から選択される少なくとも１種の成分、水、界面活性剤成分及び少なくとも１種の無機塩成分を含む、サーマルインクジェット用インク」
の発明（以下、「引用発明」という。）が記載されていると言える。
　　　　　　　　　　
２．本願発明２と引用発明との対比
　本願発明２と引用発明とを対比すると、引用発明における無機塩成分は、無機塩、すなわち、金属塩を含み（摘示（１−５））、摘示（１−７）の「シアンインク中に比較的高濃度の無機塩が存在するなら、ナトリウム又はアンモニウムと結合したダイレクトブルー１９９はビヒクルから沈殿するだろう。」との記載から、沈殿剤であるということができ、さらに引用発明は水を含んでいるから水性インクであるので、
　本願発明２と引用発明とは、
「少なくとも１つの染料と、少なくとも１つの緩衝剤と、金属塩から成る少なくとも１つの沈殿剤とを含んで成る水性インクジェットインク」
の発明である点で一致し、次の点で相違する。
ア．本願発明２においては、少なくとも１つの緩衝剤の量が「インクのpHを５．５〜９．５の範囲で維持するのに十分な量」であるのに対し、引用発明においては「４重量％までの量」である点（以下、「相違点ア」という。）
イ．本願発明２においては、染料が「すくなくとも１つのプロトン化部位を有する、式(II)
で表される少なくとも１つのアニオン染料」であるのに対し、引用発明においては、染料が特定されていない点（以下、「相違点イ」という。）
ウ．引用発明においては、「少なくとも１種のジオール、少なくとも１種のグリコールエーテル、２−ピロリドン、殺生物剤、界面活性剤成分」を含有するのに対して、本願発明２においてはそれらの成分を含有することを必須としない点（以下、「相違点ウ」という。）
　　　　
３．判断
（１）相違点アについて
　引用発明においては、摘示（１−６）に「さらに、用いられる緩衝剤は本発明の実施においては約６〜９の範囲のｐＨをもたらすべきである」旨の記載があり、引用発明におけるｐＨの範囲は、本願発明２で規定する５．５〜９．５の範囲内であるから、この点は実質上の相違点とはならない。
　
（２）相違点イについて
　引用発明においては、いかなる染料を用いるかは特定されていない。
　しかしながら、刊行物２には、インクジェット印刷法用の水性インク組成物（摘示（２−１））に用いられるアニオン染料として、式（４）で示されるアゾ染料（摘示（２−２））が記載され、その例として、本願発明２で用いられる式(II)を有する染料に相当する化合物Ｎｏ．１０１の染料（摘示（２−３））が記載されている。
　そして、刊行物２には、染料として化合物Ｎｏ．１０１等を用いた試験結果において、「…(2) すべての染料がインク媒体にすぐれた溶解性をもち微細な放出口金を詰まらせない十分な安定性をもつ溶液をもたらす。…(4) インクが物理的性質をかえずまた保存中固体分を析出しない。…(7) インクが水、光及び摩耗に対しすぐれた抵抗性をもつ画像を与える。」など、インク要求特性が満たされること（摘示（２−５））が記載されているから、引用発明において、耐光性等のインク要求特性に優れたインクを得るために、刊行物２に記載された化合物Ｎｏ．１０１で表されるアニオン染料を用いてみることは当業者が容易になし得たことと認める。
　
（３）相違点ウについて
  ジオール、グリコールエーテル、２−ピロリドン（２−ピロリジノンともいう。）、種々のタイプの界面活性剤、殺生物剤は、摘示（２−４）に記載されているように、インクジェットインクに用いられる本優先日前周知の成分に他ならず、本願発明２は、これら周知の成分を含有することを排除するものではないから、この点は実質上の相違点とはならない。
　　　
（４）本願発明の効果について
　本願発明２と引用発明とは、相違点イ以外の点では実質上相違しないので、刊行物１の摘示（１−１）、（１−３）、（１−５）、（１−１０）、（１−１１）及び（１−１２）に記載されているように、本願発明２におけるブリードの低減等の安定性以外の効果については、引用発明においても同様に奏されているものと解される。
　この点についてさらに検討すると、刊行物１に記載のインクセットにおいては、シアンインク、マゼンタインク、イエローインク及びブラックインクのうち、ブラックインク以外の３種のカラーインクのそれぞれがさらに特定の界面活性剤と無機塩を含有し（摘示（１−１２））、カラーからカラーへのブリード、ブラックからカラーへのブリードを低減するものであり、摘示（１−５）に記載するようにブラックインクからカラーインクへのブリードの低減は、無機塩を含むカラーインクと無機塩を含まないブラックインクによりなされ、カラーインクからカラーインクへのブリード、すなわち、両者とも無機塩を含むインクの場合は、摘示（１−４）に記載するように、さらに特定の界面活性剤により印刷媒体中へのインクの浸透を増加させることによりブリードを低減し、それにより、従来例（摘示（１−２））や本願発明２におけるような単一のインクに認められるブリードの低減のような断片的なアプローチでなく、４本ペンセットについて印刷品質を最適化することを目的としている（摘示１−２）ので、引用発明は、少なくとも単一のインクに認められるブリードの低減については本願発明２と同様の効果を奏しているものと認められる。
　そして、安定性に係る効果については、「（２）相違点イについて」で述べたとおり、刊行物２の記載より当業者が予測し得るものと言える。
　　　　　　　　　
（５）　小括
　したがって、本願発明２は刊行物１及び２に記載された発明に基づいて当業者が容易に発明をすることができたものであるから、特許法第２９条第２項の規定により特許を受けることができない。
　　　　　　　　　　
第６　審判請求人の主張に対して
　請求人は、請求の理由（平成２０年４月２日付け手続補正書（方式））の（４）において「引用文献１（刊行物１に相当）の第４欄第５１〜６３行には緩衝剤に関する記載がありますが、多量の無機塩存在下では無機系緩衝剤は沈殿するので有機系緩衝剤を用いるべきであること、並びに理由は付されていませんが緩衝剤を用いてインクｐＨを６〜９にすべきことは記載されていますが、
染料の沈殿を防止するために
　以上の主張は、主に式(I)の染料に関してインクのｐＨと染料の沈殿の関係等について述べた記載となっているが、本願実施例において用いられ、インクのｐＨと染料の沈殿の関係について確認されているのは、式(II)の染料のみであることを考慮すると、上記主張は式(II)の染料を用いる場合についての主張と解される。
　しかしながら、 引用発明についての「用いられる緩衝剤は本発明の実施においては約６〜９の範囲のｐＨをもたらすべきである。」との記載（摘示（１−６））、本願発明２の式(II)に相当するアニオン染料を用いたものである刊行物２についての「…(2) すべての染料がインク媒体にすぐれた溶解性をもち微細な放出口金を詰まらせない十分な安定性をもつ溶液をもたらす。…(4) インクが物理的性質をかえずまた保存中固体分を析出しない。…」との記載（摘示（２−５））などを考慮すれば、pHが約６〜９の範囲から外れる程インクの安定性が良好でなくなるであろうこと、本願発明２の式(II)に相当するアニオン染料を用いれば、沈殿の析出が防止されインクの安定性が向上するであろうことは当業者が予測し得ることと言うべきである。
　よって、審判請求人の上記主張は、当審の上記判断を左右するものではない。
　　
第７　むすび
　以上のとおり、本願発明２については特許法第２９条第２項の規定により特許を受けることができないから、その余の点については検討するまでもなく、本願は、拒絶をすべきものである。
　よって、結論のとおり審決する。